(57)【要約】【課題】プレカットオープン階段Ａについて、あらゆる施工現場で部材の共通化が図れ、現場に合わせた部材の加工が側桁１への簡単な加工のみで済み、現場での省施工化を図る。【解決手段】木製の側桁１に複数枚の木製踏板８を金属製踏板接合具１２により取り付ける。踏板接合具１２は、踏板８下面に取り付けられる踏板固定片１３と、踏板固定片１３の左右一方の側端から垂下するように延び、側桁１側面に取り付けられる側桁固定片１４と、側桁固定片１４から側桁固定片１４と垂直になるように延びる荷重受片１５とからなる。側桁１中間部の側面には、一端が側桁１上縁面に達する複数の接合具嵌合溝５が側桁長さ方向に間隔をあけて設けられ、踏板８の側桁１への取付状態で踏板接合具１２の踏板固定片１３が踏板８下面に当接して固定され、側桁固定片１４が側桁１の側面に当接して固定され、荷重受片１５が接合具嵌合溝５に嵌合されている。【選択図】図１
2008184811.tif 000002
【特許請求の範囲】
【請求項１】
木製の側桁と、複数枚の木製踏板と、該各踏板を側桁に取り付ける複数の金属製の踏板接合具とからなるプレカットオープン階段であって、
上記各踏板接合具は、上記踏板の下面に取付孔にて取り付けられる踏板固定片と、該踏板固定片の左右側端の少なくとも一方から垂下するように延び、上記側桁の側面に取付孔にて取り付けられる側桁固定片と、該側桁固定片から側桁固定片と垂直になるように延びる荷重受片とからなり、
上記側桁の下端部には、床面に取り付けられる床面取付部が設けられている一方、上端部には、階上に取り付けられる階上取付部が設けられ、中間部の側面には、上記踏板接合具の荷重受片を嵌合可能な幅を有しかつ一端が側桁の上縁面に達する複数の接合具嵌合溝が側桁長さ方向に所定間隔をあけて設けられており、
上記各踏板を踏板接合具により側桁に取り付けた状態では、踏板接合具の踏板固定片が踏板の下面に当接して取付孔を介して固定具により固定され、上記側桁固定片が側桁の側面に当接して取付孔を介して固定具により固定され、上記荷重受片が上記接合具嵌合溝に嵌合されていることを特徴とするプレカットオープン階段。
【請求項２】
請求項１のプレカットオープン階段において、
踏板接合具は、踏板固定片の左右両側端から側桁を外嵌合可能な間隔をあけて垂下する２つの側桁固定片を有していて、該側桁固定片の少なくとも一方から荷重受片が延びており、
側桁の左右両側面の少なくとも一方に、上記荷重受片を嵌合させる接合具嵌合溝が設けられていることを特徴とするプレカットオープン階段。
【請求項３】
請求項１又は２のプレカットオープン階段において、
踏板接合具の荷重受片は、側桁固定片の下端部に実質的に水平方向に延びるように設けられ、
側桁の接合具嵌合溝は、床面と平行に設けられていることを特徴とするプレカットオープン階段。
【請求項４】
請求項１又は２のプレカットオープン階段において、
踏板接合具の荷重受片は、側桁固定片の後端部に実質的に上下方向に延びるように設けられ、
側桁の接合具嵌合溝は、床面と垂直にかつ下端部が側桁の下縁面に達しないように設けられており、
各踏板を踏板接合具により側桁に取り付けた状態では、踏板接合具の荷重受片が上記接合具嵌合溝の下端部に当接するように嵌合されていることを特徴とするプレカットオープン階段。
【請求項５】
請求項１又は２のプレカットオープン階段において、
踏板接合具の荷重受片は、側桁固定片の後端部に斜めに延びるように設けられ、
側桁の接合具嵌合溝は、床面に対し傾斜してかつ下端部が側桁の下縁面に達しないように設けられており、
各踏板を踏板接合具により側桁に取り付けた状態では、踏板接合具の荷重受片が上記接合具嵌合溝の下端部に当接するように嵌合されていることを特徴とするプレカットオープン階段。
【請求項６】
請求項１〜５のいずれか１つのプレカットオープン階段において、
踏板接合具は、踏板固定片の後端部から上方に延びて踏板の後端部に当接する踏板位置決め片を有することを特徴とするプレカットオープン階段。
【請求項７】
請求項６のプレカットオープン階段において、
踏板位置決め片には貫通孔が設けられ、
踏板位置決め片は、踏板にその後端面と当接した状態で上記貫通孔を貫通する固定具により固定されていることを特徴とするプレカットオープン階段。
【請求項８】
請求項６又は７のプレカットオープン階段において、
踏板接合具は、踏板位置決め片の上端部から前方に延びる踏板浮上がり防止片を有し、
踏板の後端面には浮上がり防止溝が設けられており、
各踏板を踏板接合具により側桁に取り付けた状態では、上記踏板浮上がり防止片が浮上がり防止溝に嵌合された状態で踏板と踏板固定片とが一体化されていることを特徴とするプレカットオープン階段。
【請求項９】
請求項８のプレカットオープン階段において、
浮上がり防止溝は、踏板の左右両端の木ロ面に到達しない溝形状であることを特徴とするプレカットオープン階段。
【請求項１０】
請求項１〜９のいずれか１つのプレカットオープン階段において、
踏板接合具は、一定厚さを有する金属板を折り曲げ加工してなるものであることを特徴とするプレカットオープン階段。
【発明の詳細な説明】
【技術分野】
【０００１】
本発明は、木製の側桁と、この側桁の上部に固定される木製の踏板とを有するオープン階段に関し、特に、側桁と踏板とが金属製の接合具により接合され、角度や長さの異なる階段形状においても簡単に部材の加工ができて、踏板、側桁、接合具等の部材の共通化が図れるプレカットオープン階段に関するものである。
【背景技術】
【０００２】
近年、従来よりある箱型の階段ではなく、インテリアとしてデザイン性のあるオープン階段が上市されている。この種のオープン階段としては、特許文献１〜３に示されているものが知られているが、これらのものは、いずれも形状の決まったユニットタイプのプレカットオープン階段であり、以下のような問題があった。
【０００３】
例えば特許文献１のものでは、受部が階段傾斜毎に異なるだけでなく、踏板への加工が複雑で加工手間がかかる。
【０００４】
また、特許文献２に示されるものでは、階段として組立ては容易であるが、踏板支持部材の形で階段の角度が決定されるため、様々な施工現場に柔軟に対応することができない。
【０００５】
さらに、特許文献３に示されるものでは、踏板受材の支持端に設けられたボルト貫通孔により角度が決まるため、特許文献１及び２と同様に様々な現場に柔軟に対応することができない。
【０００６】
そこで、上記問題を解決するために、従来、例えば特許文献４〜７に示されるように種々のプレカットオープン階段が提案されている。特許文献４及び５のものでは、踏板受具の垂下片の所定位置に取付孔が設けられ、取付孔に対応する側桁に案内孔が設けられている。従って、側桁に対して現場に合わせた任意の角度を実現することができる。特に、特許文献５のものでは、踏板は、コの字状の挟持具で取り付けられているため、安定的に取付けが可能である。
【０００７】
さらに、特許文献６及び７のものでは、接合金物は金属板の折曲げ加工品であり、側桁上に踏板が載るため、踏板の側桁に対する取付強度に関しては全く問題がない。
【特許文献１】特開２００５−３００８２号公報
【特許文献２】特開２００５−２９９０８９号公報
【特許文献３】特開２００５−３１５０３１号公報
【特許文献４】特開２００６−９７３８３号公報（特に、請求項３）
【特許文献５】特開２００６−９７３８４号公報（特に、請求項２）
【特許文献６】特開２００６−１７７０５３号公報
【特許文献７】特開２００６−３２２３０４号公報
【発明の開示】
【発明が解決しようとする課題】
【０００８】
しかし、特許文献４のものでは、踏板取付部材の支持が木ネジや釘等の剪断力のみで支持されているため、ネジや釘等が緩み易く、軋み音が発生し易いという問題がある。
【０００９】
また、特許文献５のものでは、コの字状の挟持具と取り付ける手間が必要になる等、決して省施工性に配慮されているとは言い難い。
【００１０】
さらに、特許文献６のものでは、側桁に対する切欠き加工が大きいため、大きな寸法の側桁を必要とする割には階段自体の強度がそれほど強くなく、資源の無駄がある。
【００１１】
また、特許文献７のものでは、側桁に対する切欠き加工が複雑となる上、金属及び木材に複雑な凹部加工を施して、それらの嵌合による施工のため、極めて繊細な加工精度が求められ、側桁の吸放湿や寸法精度の僅かの狂いにより施工時に嵌合し難くなるという欠点がある。これを解決するために凹部を少し大きくすると、特許文献４と同じように固定具の剪断力のみによる固定になるという問題点があった。
【００１２】
本発明は斯かる諸点に鑑みてなされたもので、その目的は、側桁と、その側桁上に設けられる踏板と、側桁及び踏板を接合する接合金具とがあらゆる施工現場で部材の共通化が図れるとともに、現場に合わせた部材の加工が側桁への簡単な加工のみで済み、現場での組立時に省施工に配慮したプレカットオープン階段を提供することにある。
【課題を解決するための手段】
【００１３】
上記の目的の達成のため、この発明では、側桁の側面に嵌合溝を形成し、この嵌合溝に嵌合される荷重受片を持つ金属製の踏板接合具を設け、この踏板接合具を介して踏板を側桁に接合して取り付けるようにした。
【００１４】
具体的には、請求項１の発明では、木製の側桁と、複数枚の木製踏板と、この各踏板を側桁に取り付ける複数の金属製の踏板接合具とからなるプレカットオープン階段が対象である。
【００１５】
そして、上記各踏板接合具は、上記踏板の下面に取付孔にて取り付けられる踏板固定片と、該踏板固定片の左右側端の少なくとも一方から垂下するように延び、上記側桁の側面に取付孔にて取り付けられる側桁固定片と、該側桁固定片から側桁固定片と垂直になるように延びる荷重受片とからなるものとする。
【００１６】
また、上記側桁の下端部には、床面に取り付けられる床面取付部が設けられている一方、上端部には、階上に取り付けられる階上取付部が設けられ、中間部の側面には、上記踏板接合具の荷重受片を嵌合可能な幅を有しかつ一端が側桁の上縁面に達する複数の接合具嵌合溝が側桁長さ方向に所定間隔をあけて設けられている。
【００１７】
さらに、上記各踏板を踏板接合具により側桁に取り付けた状態では、踏板接合具の踏板固定片が踏板の下面に当接して取付孔を介して固定具により固定され、上記側桁固定片が側桁の側面に当接して取付孔を介して固定具により固定され、上記荷重受片が上記接合具嵌合溝に嵌合されていることを特徴とする。
【００１８】
上記の構成によると、プレカットオープン階段を施工する場合、その施工現場に合わせて、側桁の下端部に床面取付部を、また上端部に階上取付部をそれぞれ加工するとともに、側桁の側面に複数の接合具嵌合溝を形成した後、例えば踏板接合具の踏板固定片を踏板の下面に当接させかつその取付孔を介して固定具により固定し、側桁の側面に形成されている複数の接合具嵌合溝の各々に踏板接合具の荷重受片を挿入嵌合し、その状態で、その踏板接合具の側桁固定片を側桁の側面に当接させかつその取付孔を介して固定具により固定することで、踏板が踏板接合具を介して側桁に取り付けられて施工される。
【００１９】
このため、施工現場では、側桁に対する踏板接合具の施工角度が決まると、その現場に合わせた側桁への床面取付部及び階上取付部の形成加工及び側桁への接合具嵌合溝の形成加工だけで済み、その後は各踏板を側桁に踏板接合具を介して固定するだけでよく、現場での組立時の省施工化が図れる。また、少なくとも側桁、各踏板及び踏板接合具（左側用及び右側用）は同じものを用意しておき、側桁の側面に接合具嵌合溝を施工現場に合わせて形成すればよく、あらゆる施工現場で部材の共通化が図れることとなる。この場合、踏板接合具の形状は決まっているため、踏板が水平に取り付けられるよう、各現場に合わせて接合具嵌合溝の傾きを調整する。
【００２０】
また、各踏板接合具の荷重受片が側桁の接合具嵌合溝に挿入されて、踏板接合具の一部が側桁により支持されるため、踏板への荷重が分散され、経年の荷重が加わっても踏板接合具が緩み難く、軋み音が発生し難い。
【００２１】
請求項２の発明では、上記請求項１のプレカットオープン階段において、上記踏板接合具は、踏板固定片の左右両側端から側桁を外嵌合可能な間隔をあけて垂下する２つの側桁固定片を有していて、その側桁固定片の少なくとも一方から荷重受片が延びている。また、側桁の左右両側面の少なくとも一方に、上記荷重受片を嵌合させる接合具嵌合溝が設けられている。
【００２２】
この発明によると、踏板接合具の２つの側桁固定片が側桁を左右両側から挟むように外嵌合されて該側桁の左右側面に当接し、側桁固定片の少なくとも一方から延びる荷重受片が側桁の左右側面の少なくとも一方の接合具嵌合溝に嵌合される。このように踏板接合具の側桁固定片が側桁を左右両側から挟むように外嵌合されて側桁に固定具により固定されることで、踏板を側桁に強固に取り付けることができる。
【００２３】
請求項３の発明では、上記請求項１又は２のプレカットオープン階段において、上記踏板接合具の荷重受片は、側桁固定片の下端部に実質的に水平方向に延びるように設けられている。また、側桁の接合具嵌合溝は床面と平行に設けられている。
【００２４】
この発明によると、踏板接合具の荷重受片が実質的に水平方向に延び、側桁の接合具嵌合溝が床面と平行に設けられているので、階段の施工状態で、踏板接合具の荷重受片が側桁の接合具嵌合溝に嵌合されたときに、踏板に加わる荷重を側桁の接合具嵌合溝で分散して受けることができる。
【００２５】
請求項４の発明では、上記請求項１又は２のプレカットオープン階段において、踏板接合具の荷重受片は、側桁固定片の後端部に実質的に上下方向に延びるように設けられ、側桁の接合具嵌合溝は、床面と垂直にかつ下端部が側桁の下縁面に達しないように設けられており、各踏板を踏板接合具により側桁に取り付けた状態では、踏板接合具の荷重受片が上記接合具嵌合溝の下端部に当接するように嵌合されている。
【００２６】
この発明によると、踏板接合具の荷重受片が実質的に上下方向に延び、側桁の接合具嵌合溝は床面と垂直にかつ下端部が側桁の下縁面に達しないように設けられているので、階段の施工状態で、踏板接合具の荷重受片が側桁の接合具嵌合溝に嵌合されたときに、踏板に加わる荷重を側桁の接合具嵌合溝の下端部で受けることができる。また、接合具嵌合溝が上下方向に延びているので、その接合具嵌合溝の側桁の上縁面に達する上端部が踏板の下側に隠蔽され、外観見映えを高めることができる。
【００２７】
請求項５の発明では、上記請求項１又は２のプレカットオープン階段において、踏板接合具の荷重受片は、側桁固定片の後端部に斜めに延びるように設けられ、側桁の接合具嵌合溝は、床面に対し傾斜してかつ下端部が側桁の下縁面に達しないように設けられており、各踏板を踏板接合具により側桁に取り付けた状態では、踏板接合具の荷重受片が上記接合具嵌合溝の下端部に当接するように嵌合されている。
【００２８】
この発明によると、踏板接合具の荷重受片が斜めに延び、側桁の接合具嵌合溝は床面に対し傾斜してかつ下端部が側桁の下縁面に達しないように設けられているので、階段の施工状態で、踏板接合具の荷重受片が側桁の接合具嵌合溝に嵌合されたときに、踏板に加わる荷重を側桁の接合具嵌合溝の下端部ないし該接合具嵌合溝の下側面で分散して受けることとなる。一方、接合具嵌合溝が斜めに延びているので、その接合具嵌合溝の側桁の上縁面に達する上端部が踏板の下側に隠蔽される。これらにより、荷重分散効果と外観見映えの向上とを合わせて図ることができる。
【００２９】
請求項６発明では、上記請求項１〜５のいずれか１つのプレカットオープン階段において、上記踏板接合具は、踏板固定片の後端部から上方に延びて踏板の後端部に当接する踏板位置決め片を有する。
【００３０】
この発明によると、踏板に踏板接合具を固定するときには、踏板位置決め片を踏板の後端部に当接させて位置決めすることができる。
【００３１】
請求項７の発明では、上記請求項６のプレカットオープン階段において、上記踏板位置決め片には貫通孔が設けられ、上記踏板位置決め片は、踏板にその後端面と当接した状態で上記貫通孔を貫通する固定具により固定されている。
【００３２】
この発明によると、上記踏板位置決め片を踏板の後端部に当接させて踏板接合具の踏板への位置決めを行った状態で、両者を貫通孔を貫通する固定具により固定することで、踏板に踏板接合具を位置決めして固定することができ、階段の使用時に、その踏板の後端部が浮き上がるのを効果的に防止することができる。
【００３３】
請求項８の発明では、上記請求項６又は７のプレカットオープン階段において、上記踏板接合具は、踏板位置決め片の上端部から前方に延びる踏板浮上がり防止片を有する。また、上記踏板の後端面には浮上がり防止溝が設けられており、各踏板を踏板接合具により側桁に取り付けた状態では、上記踏板浮上がり防止片が浮上がり防止溝に嵌合された状態で踏板と踏板固定片とが一体化されている。
【００３４】
この発明によると、踏板接合具の踏板浮上がり防止片が踏板後端面の浮上がり防止溝に嵌合された状態で踏板と踏板固定片とが一体化されているので、踏板の後端部が踏板浮上がり防止片に係止し、階段の使用時に、その踏板の後端部が浮き上がるのを効果的に防止することができる。
【００３５】
請求項９の発明では、上記請求項８のプレカットオープン階段において、上記浮上がり防止溝は、踏板の左右両端の木ロ面に到達しない溝形状であることを特徴とする。
【００３６】
この発明によると、その浮上がり防止溝の左右端部が踏板の左右両端の木ロ面に露出せず、外観上の見映えを高めることができる。
【００３７】
請求項１０の発明では、上記踏板接合具は、一定厚さを有する金属板を折り曲げ加工してなるものとする。こうすると、踏板接合具の生産性を高めることができる。
【発明の効果】
【００３８】
以上説明したように、請求項１〜１０の発明によると、踏板に取り付けられた踏板接合具の荷重受片が、側桁に設けられた接合具嵌合溝に挿入されることで、側桁に対する接合具の施工角度が決まり、省施工である。また、側桁により踏板接合具の一部が支持されるため、踏板に加わる荷重が分散され、経年後でも踏板接合具が緩み難く、軋み音が発生し難いプレカットオープン階段が得られる。
【発明を実施するための最良の形態】
【００３９】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００４０】
［実施形態１］
図９は本発明の実施形態１に係るプレカットオープン階段Ａを示す。このプレカットオープン階段Ａは、左右１対の木製の側桁１，１と、複数枚の木製の踏板８，８，…と、この各踏板８を各側桁１に取り付ける一定厚さを有する複数の金属製の踏板接合具１２，１２，…（図１〜図５参照）とからなる。
【００４１】
（側桁）
上記各側桁１は例えば合板や集成材等の木質材料が使用される。その表面には、塗装加工やシート貼り加工が施されていることが好ましい。
【００４２】
この側桁１は、多様な施工場所に共通する部材として略矩形状の板材が用意され、施工現場に合わせて加工される。
【００４３】
具体的には、図６及び図７に示すように、各側桁１の下端部には、床面にそれと平行になるようにカットされて取り付けられる床面取付部２が、また上端部には、階上に取り付けられる階上取付部３がそれぞれ設けられている。すなわち、上記板材に対し、施工現場の取付角度に合わせて、床面に当接する床面取付部２と、階上に取り付けられる階上取付部３とがそれぞれ加工される。
【００４４】
また、各側桁１の中間部において階段Ａの左右中央側となる内側面（階段Ａの左右端部側となる外側面であってもよい）には複数の接合具嵌合溝５，５，…が側桁長さ方向に所定間隔をあけて設けられている。この各接合具嵌合溝５は、上記踏板接合具１２の後述する荷重受片１５を密嵌合可能な幅（踏板接合具１２の厚さよりも若干大きい幅）を有するもので、床面と平行な水平方向に対し所定の傾斜角度θ（上下方向に対し９０−θ）で傾斜し、その上端（一端）が側桁１の前縁面でもある上縁面に達する一方、下端部（他端部）が側桁１の後縁面でもある下縁面に達しないように側桁１の上側部の範囲に設けられている。
【００４５】
各接合具嵌合溝５の深さは５〜３０ｍｍ（５ｍｍ以上でかつ３０ｍｍ以下）程度であり、好適には１０〜２５ｍｍ程度である。５ｍｍ未満であると、荷重受片１５による荷重支持の効果が得難く、３０ｍｍを越える深さになると、側桁１への切欠きが大きくなって側桁１の断面寸法を大きくする必要があり、非効率である。
【００４６】
（踏板）
上記木製の踏板８は、例えば合板や集成材等からなる左右方向に長い略矩形状の板材が使用される。その表面に側桁１と同様に塗装加工やシート貼り加工が施されていることが好ましい。
【００４７】
踏板８の上面（天面）の手前部分たる前端部近傍には、左右方向（長手方向）に連続した複数の凹条又は凸条からなる滑り止め部を設けてもよい。
【００４８】
図８に示すように、踏板８の後端面（背面）の厚さ方向である上下方向の例えば中間部には、踏板８の長さ方向（水平方向）に延びる浮上がり防止溝９が設けられている。この浮上がり防止溝９の溝幅は、踏板接合具１２における後述の踏板浮上がり防止片１７を密嵌合可能な幅（踏板接合具１２の厚さよりも若干大きい幅）であり、その深さは踏板浮上がり防止片１７を嵌合できる深さになっている。
【００４９】
この踏板浮上がり防止溝９は踏板８後端面の長手方向に連続した１本の細溝形状でもよいし、図示例の如く分割されて長さ方向に直列に並ぶ複数本の細溝であってもよい。好ましくは、踏板浮上がり防止溝９を、踏板８の左右両端の木口面８ａ，８ａに到達しない形状にすることで、その加工が容易であり、階段Ａを左右側面から見たときに踏板８後端面に踏板浮上がり防止溝９を形成していることが踏板８の左右両端の木ロ面８ａに現れず、美麗な外観を有する階段Ａとすることができる。
【００５０】
（踏板接合具）
上記各踏板接合具１２は鉄、ステンレス鋼、アルミニウム等の金属が使用され、とりわけ鉄にメッキ加工の施されたものやステンレス鋼が好適である。鉄やステンレス鋼を使用した場合の踏板接合具１２の厚さは、１〜６ｍｍ（１ｍｍ以上でかつ６ｍｍ以下）程度であり、好適には１．５〜４ｍｍ（１．５ｍｍ以上でかつ４ｍｍ以下）程度がよい。１ｍｍよりも薄い金属板の場合は強度的に問題があり、６ｍｍを超える金属板は、折り曲げ加工がし難くなって使用が困難となる。アルミニウムの場合には、２〜６ｍｍ（２ｍｍ以上でかつ６ｍｍ以下）程度がよく、好適には２〜４ｍｍ（２ｍｍ以上でかつ４ｍｍ以下）程度のものが使用される。
【００５１】
化粧性及び防錆の観点から、踏板接合具１２の表面には、メッキ加工や着色加工が施されていてもよい。この踏板接合具１２は、一定厚さを有する１枚の金属板を所定形状に折り曲げた簡単な折り曲げ加工により形成されていて、生産性に優れている。
【００５２】
上記踏板接合具１２は、左側の側桁１に取り付けられる左側用のものと、右側の側桁１に取り付けられる右側用のもの（図示例のもの）と２種類があり、いずれも、図２〜図５に示すように、上記踏板８の下面に取り付けられる水平方向に延びる矩形板状の踏板固定片１３と、この踏板固定片１３の左右側端の一方（左側用は右側端、右側用は左側端）から垂下するように折り曲げられて下側に延び、かつ前後端部が後側に向かって下側に向かうように傾斜し、上記側桁１の側面（左側用は左側側桁１の右側面、右側用は右側側桁１の左側面）に取り付けられる略平行四辺形の板状の側桁固定片１４と、この側桁固定片１４の傾斜した後端部から側桁固定片１４と垂直になるように踏板固定片１３と同じ側（左側用は右側、右側用は左側）に折り曲げられて延びる荷重受片１５と、踏板固定片１３の後端部から上方に折り曲げられて延びて踏板８の後端面に当接する踏板位置決め片１６と、この踏板位置決め片１６の上端部から前方に折り曲げられて水平方向に延びる踏板浮上がり防止片１７とからなる。
【００５３】
上記踏板固定片１３には、踏板８の下面に締結固定される固定具としてのビスＢ（図１参照）を挿通するための複数の取付孔１３ａ，１３ａ，…が、また側桁固定片１４にも、側桁１の側面に締結固定される固定具としてのビスＢを挿通するための複数の取付孔１４ａ，１４ａ，…がそれぞれ貫通形成されており、これらの取付孔１３ａ，１４ａにビスＢを挿通させて固定するようになっている。
【００５４】
そして、図１に示すように、上記各踏板８を左右２種類の踏板接合具１２の各々により左右の各側桁１に取り付けた状態では、各踏板接合具１２の踏板固定片１３が踏板８の下面に当接しかつ取付孔１３ａ，１３ａ，…を挿通するビスＢ（固定具）により固定され、側桁固定片１４が側桁１の側面に当接しかつ取付孔１４ａ，１４ａ，…を挿通するビスＢ（固定具）により固定され、荷重受片１５が各接合具嵌合溝５にその下端部に当接するように嵌合されている。また、踏板浮上がり防止片１７が浮上がり防止溝９に嵌合された状態で、踏板位置決め片１６が踏板８の後端面と当接して踏板８と踏板固定片１３とが一体化されている。
【００５５】
（施工方法の一例）
次に、上記実施形態のプレカットオープン階段Ａを施工する施工方法を例示する。まず、施工現場の所定位置に左右の側桁１，１を取り付ける。各側桁１の下端部の床面取付部２は、床面に載置するのみの状態でも構わないし、側桁１の側面を床面と接合金物（図示せず）で固定しても構わない。また、上端部の階上取付部３は、所定の形状にカットされて金具（図示せず）により取り付けられても構わないし、ホゾ加工等により取り付けられても構わない。また、この側桁１には、施工現場において、階段Ａの傾きにあわせて必要な数の接合具嵌合溝５，５，…を加工する。
【００５６】
この側桁１に対し踏板８を下段側のものから順に取り付ける。踏板８を上下反転させ、その踏板８の裏面（施工後の状態では下面）に左右一方の踏板接合具１２，１２を取り付ける。具体的には、左右一方の踏板接合具１２の踏板位置決め片１６を踏板８の後端面に当接させるとともに、踏板位置決め片１６の上端部から前方に延びる踏板浮上がり防止片１７を踏板８後端面の浮上がり防止溝９に挿入するように嵌合させる。この状態で、踏板８の裏面に踏板接合具１２の踏板固定片１３を当接させ、その踏板固定片１３の取付孔１３ａ，１３ａ，…にビスＢを挿通して踏板８に締結し、この一方の踏板接合具１２と踏板８とを固定する。
【００５７】
そのとき、踏板接合具１２の踏板固定片１３の後端部から上方に延びる踏板位置決め片１６が設けられているので、この踏板位置決め片１６を踏板８の後端部に当接させることで、踏板８に対する踏板接合具１２の前後位置を容易に位置決めして踏板接合具１２を踏板８に固定することができる。
【００５８】
その後、左右他方の踏板接合具１２を同様にして、側桁１の取付幅の対向する側桁１間の内寸に合わせて踏板８に取付固定する。
【００５９】
さらに、こうして左右２つの踏板接合具１２，１２を取り付けた踏板８を元どおりに反転させ、先に取り付けられている各側桁１の側面の接合具嵌合溝５に上縁面から、対応する各踏板接合具１２の荷重受片１５を挿入するように嵌合させ、この状態で各踏板接合具１２の側桁固定片１４の取付孔１４ａ，１４ａ，…にビスＢ（固定具）を挿通して側桁１に締結し、踏板８を踏板接合具１２を介して側桁１に固着一体化する。この側桁固定片１４の取付孔１４ａ，１４ａ，…は複数設けられているが、側桁固定片１４を側桁１の側面に当接させた状態で、側桁１に対して所定のビス止め強度が得られる取付孔１４ａ，１４ａ，…を全てビス止めする。
【００６０】
以上によって１枚の踏板８の取付けが終了し、以後、上の段の踏板８，８，…を同じ手順で順に取付施工していく。
【００６１】
したがって、この実施形態においては、階段Ａの施工現場では、その現場に合わせた側桁１への床面取付部２及び階上取付部３の形成加工や側桁１への接合具嵌合溝５，５，…の形成加工だけで済み、各踏板８を側桁１に踏板接合具１２を介して固定するだけでよく、現場での組立時の省施工化が図れる。また、側桁１、各踏板８及び各踏板接合具１２（左側用及び右側用）はいずれも同じものを用意しておく。そして、そのうちの側桁１の側面に接合具嵌合溝５，５，…を施工現場に合わせて形成すればよく、あらゆる施工現場で部材の共通化が図れる。
【００６２】
また、各踏板接合具１２の荷重受片１５が側桁１の接合具嵌合溝５に挿入されて、踏板接合具１２の一部が側桁１により支持されるため、踏板８への荷重が分散され、経年の荷重が加わっても踏板接合具１２が緩み難く、軋み音は発生し難くなる。
【００６３】
さらに、各踏板接合具１２の荷重受片１５が斜めに延び、側桁１の接合具嵌合溝５は床面に対し傾斜してかつ下端部が側桁１の下縁面に達しないように設けられているので、階段Ａの施工状態で、踏板接合具１２の荷重受片１５が側桁１の接合具嵌合溝５に嵌合されたときに、踏板８に加わる荷重を側桁１の接合具嵌合溝５の下端部ないし該接合具嵌合溝５の下側面で分散して受けることができる。一方、接合具嵌合溝５は斜めに延びているので、その接合具嵌合溝５の側桁１上縁面に達する上端部を踏板８によって隠蔽することができる。これらにより、荷重分散効果と外観見映えの向上とを合わせて図ることができる。
【００６４】
また、踏板接合具１２には、その踏板位置決め片１６の上端部から前方に水平方向に延びる踏板浮上がり防止片１７が形成され、踏板８の後端面には浮上がり防止溝９が設けられて、各踏板８を踏板接合具１２により側桁１に取り付けた状態では、踏板浮上がり防止片１７が浮上がり防止溝９に嵌合されるので、踏板８の後端部が踏板浮上がり防止片１７に係止されることになる。その結果、階段Ａの使用時に、その踏板８の後端部が浮き上がるのを効果的に防止することができる。
【００６５】
［実施形態２］
図１０〜図１６は本発明の実施形態２を示し（尚、以下の実施形態では、図１〜図９と同じ部分は同じ符号を付してその詳細な説明を省略する）、踏板接合具１２の荷重受片１５及び側桁１の接合具嵌合溝５，５，…の各向きを変えたものである。
【００６６】
すなわち、この実施形態では、図１１〜図１４に示すように、各踏板接合具１２の側桁固定片１４は略三角形の板状のもので、その後端部は上下方向に延び、この側桁固定片１４の後端部に荷重受片１５が略上下方向（実質的に上下方向）に延びるように設けられている。
【００６７】
一方、図１５及び図１６に示すように、各側桁１の接合具嵌合溝５は、床面と垂直な上下方向にかつ下端部が側桁１の下縁面に達しないように設けられており、各踏板８を踏板接合具１２により側桁１に取り付けた状態では、踏板接合具１２の荷重受片１５が接合具嵌合溝５の下端部に当接するように嵌合されている。その他の構成は上記実施形態１と同様である。
【００６８】
したがって、この実施形態２においては、踏板接合具１２の荷重受片１５が略上下方向に延び、側桁１の接合具嵌合溝５は床面と垂直にかつ下端部が側桁１の下縁面に達しないように設けられているので、図１０に示すように、階段Ａの施工状態で、踏板接合具１２の荷重受片１５が側桁１の接合具嵌合溝５に嵌合されたときに、踏板８に加わる荷重を側桁１の接合具嵌合溝５の下端部で受ける。また、接合具嵌合溝５が上下方向に延びているので、その接合具嵌合溝５の側桁１の上縁面に達する上端部が踏板８に隠蔽され、外観見映えを高めることができる。
【００６９】
また、側桁１、各踏板８及び踏板接合具１２は同じものを用意しておき、側桁１の側面に接合具嵌合溝５，５，…を施工現場に合わせて形成すればよく、あらゆる施工現場で部材の共通化が図れる。その他、実施形態１と同様の作用効果を奏することができる。
【００７０】
尚、上記実施形態１，２の構成において、側桁１の接合具嵌合溝５，５，…が側桁１の下縁面（後縁面）に達するように設けられているものは、本発明に包含されない。つまり、そのような構成では、踏板接合具１２の荷重受片１５の荷重を接合具嵌合溝５の下端部で受けることができず、荷重保持の機能を有しないからである。
【００７１】
［実施形態３］
図１７〜図２３は実施形態３を示し、踏板接合具１２の荷重受片１５及び側桁１の接合具嵌合溝５，５，…の各向きを水平方向にしたものである。
【００７２】
すなわち、この実施形態では、図１８〜図２１に示すように、踏板接合具１２の側桁固定片１４は実施形態１と同様の略平行四辺形の板状のもので、この側桁固定片１４の下端部に荷重受片１５が略水平方向（実質的に水平方向）に延びるように設けられている。
【００７３】
一方、各側桁１には接合具嵌合溝５が床面と平行に水平方向に延びるように設けられ、この接合具嵌合溝５は実施形態１，２とは異なり、側桁１の上縁面（前縁面）から下縁面（後縁面）までの側桁１の幅方向全体に亘るように設けられている（尚、実施形態１，２と同様に、側桁１の上縁面（前端縁）のみに達するように設けてもよい）。その他の構成は実施形態１と同様である。
【００７４】
したがって、この実施形態の場合、踏板接合具１２の荷重受片１５が実質的に水平方向に延び、側桁１の接合具嵌合溝５が床面と平行に設けられているので、階段Ａの施工状態で、踏板接合具１２の荷重受片１５が側桁１の接合具嵌合溝５に嵌合されたときに、踏板８に加わる荷重を側桁１の接合具嵌合溝５で分散して受けることができる（そのため、接合具嵌合溝５は、側桁１の上縁面から下縁面までの側桁１の全体に亘るように設けられていてもよいのである）。その他の作用効果は実施形態１と同じである。
【００７５】
［実施形態４］
図２４〜図２７は実施形態４を示す。この実施形態では、上記実施形態１〜３とは異なり、図２４〜図２６に示すように、左右の各踏板接合具１２には、踏板固定片１３の左右両側端から垂下する左右２つの側桁固定片１４，１４が設けられている。これら側桁固定片１４，１４は、いずれも互いに同じ上記実施形態３と同様の略平行四辺形の板状のもので、互いに側桁１を外嵌合可能な間隔をあけて対向するように配置されている。そして、各側桁固定片１４の下端部に上記実施形態３と同様に水平方向に延びる荷重受片１５が、相対する側桁固定片１４に向かうように（左側の側桁固定片１４にあっては右側に、右側の側桁固定片１４にあっては左側）折り曲げられて形成されている。
【００７６】
一方、図２７に示すように、左右の各側桁１の左右側面には、水平方向に延びる接合具嵌合溝５，５が左右に対応して形成されており、これらの接合具嵌合溝５，５にそれぞれ左右両側の荷重受片１５，１５を挿入して嵌合するようになっている。その他は実施形態３と同様の構成とされている。
【００７７】
したがって、この実施形態の場合、実施形態３の作用効果が得られることに加え、各踏板接合具１２の左右の側桁固定片１４，１４が側桁１を左右両側から挟むように外嵌合されてビス止めされることで、踏板８を側桁１に強固に取り付けることができる利点がある。
【００７８】
尚、この実施形態では、２つの側桁固定片１４，１４にそれぞれ荷重受片１５，１５を形成しているが、いずれか一方の側桁固定片１４のみに荷重受片１５を形成し、側桁１の接合具嵌合溝５も、その荷重受片１５がある側の側面のみに設けてもよい（変形例）。
【００７９】
また、上記実施形態１〜３のように、踏板接合具１２の荷重受片１５及び側桁１の接合具嵌合溝５，５，…が斜め又は上下方向に形成されている構成において、この実施形態４（上記変形例も含む）と同様に側桁固定片１４，１４を２つ設けることも可能である。
【００８０】
［その他の実施形態］
尚、本発明は上記実施形態に限定されすものではなく、種々の他の実施形態を包含している。例えば、上記各実施形態では、踏板接合具１２の踏板浮上がり防止片１７を踏板８後端面の浮上がり防止溝９に挿入しているが、これに代えて、踏板浮上がり防止片１７をなくし、踏板位置決め片１６に、ビスＢ（固定具）を挿通するための複数の貫通孔を形成し、踏板位置決め片１６を踏板８の後端面に当接させて位置決めした状態で、その踏板位置決め片１６の貫通孔にビスＢを挿入して踏板８の後端面に締結固定するようにしてもよく、踏板浮上がり防止片１７を設けた場合と同様に、階段Ａの使用時に、踏板８の後端部が浮き上がるのを効果的に防止することができる。
【００８１】
また、踏板位置決め片１６は踏板８に対し必ずしもビスＢにより固定する必要はなく、踏板位置決め片１６を踏板８後端面に当接させるだけでもよい。また、本発明では、踏板位置決め片１６や踏板浮上がり防止片１７は必須の構成要素でなく、必要に応じて省略することができる。
【００８２】
また、踏板接合具１２の踏板固定片１３、側桁固定片１４及び荷重受片１５は上記各実施形態の形状に限定されないのは勿論である。
【産業上の利用可能性】
【００８３】
本発明は、プレカットオープン階段について、あらゆる施工現場で部材の共通化が図れ、現場に合わせた部材の加工が側桁への簡単な加工のみで済み、現場での組立時に省施工に配慮しているので、極めて有用で産業上の利用可能性が高い。
【図面の簡単な説明】
【００８４】
【図１】図１は、本発明の実施形態１に係るプレカットオープン階段において、その踏板を側桁に取り付けた状態を示す側面図である。
【図２】図２は、実施形態１に係る踏板接合具の拡大斜視図である。
【図３】図３は、実施形態１に係る踏板接合具の拡大正面図である。
【図４】図４は、実施形態１に係る踏板接合具の拡大平面図である。
【図５】図５は、実施形態１に係る踏板接合具の拡大側面図である。
【図６】図６は、側桁の全体を示す側面図である。
【図７】図７は、側桁の一部を前側から見て示す斜視図である。
【図８】図８は、踏板を一部省略して後側から見た正面図である。
【図９】図９は、プレカットオープン階段の一部を示す斜視図である。
【図１０】図１０は、実施形態２を示す図１相当図である。
【図１１】図１１は、実施形態２を示す図２相当図である。
【図１２】図１２は、実施形態２を示す図３相当図である。
【図１３】図１３は、実施形態２を示す図４相当図である。
【図１４】図１４は、実施形態２を示す図５相当図である。
【図１５】図１５は、実施形態２を示す図６相当図である。
【図１６】図１６は、実施形態２を示す図７相当図である。
【図１７】図１７は、実施形態３を示す図１相当図である。
【図１８】図１８は、実施形態３を示す図２相当図である。
【図１９】図１９は、実施形態３を示す図３相当図である。
【図２０】図２０は、実施形態３を示す図４相当図である。
【図２１】図２１は、実施形態３を示す図５相当図である。
【図２２】図２２は、実施形態３を示す図６相当図である。
【図２３】図２３は、実施形態３を示す図７相当図である。
【図２４】図２４は、実施形態４を示す図２相当図である。
【図２５】図２５は、実施形態４を示す図３相当図である。
【図２６】図２６は、実施形態４を示す図４相当図である。
【図２７】図２７は、実施形態４を示す図７相当図である。
【符号の説明】
【００８５】
Ａ  プレカットオープン階段
１  側桁
２  床面取付部
５  接合具嵌合溝
８  踏板
８ａ  小口面
９  浮上がり防止溝
１２  踏板接合具
１３  踏板固定片
１３ａ  取付孔
１４  側桁固定片
１４ａ  取付孔
１５  荷重受片
１６  踏板位置決め片
１７  踏板浮上がり防止片
Ｂ  ビス（固定具）
【図１】
2008184811.tif 000003
【図２】
2008184811.tif 000004
【図３】
2008184811.tif 000005
【図４】
2008184811.tif 000006
【図５】
2008184811.tif 000007
【図６】
2008184811.tif 000008
【図７】
2008184811.tif 000009
【図８】
2008184811.tif 000010
【図９】
2008184811.tif 000011
【図１０】
2008184811.tif 000012
【図１１】
2008184811.tif 000013
【図１２】
2008184811.tif 000014
【図１３】
2008184811.tif 000015
【図１４】
2008184811.tif 000016
【図１５】
2008184811.tif 000017
【図１６】
2008184811.tif 000018
【図１７】
2008184811.tif 000019
【図１８】
2008184811.tif 000020
【図１９】
2008184811.tif 000021
【図２０】
2008184811.tif 000022
【図２１】
2008184811.tif 000023
【図２２】
2008184811.tif 000024
【図２３】
2008184811.tif 000025
【図２４】
2008184811.tif 000026
【図２５】
2008184811.tif 000027
【図２６】
2008184811.tif 000028
【図２７】
2008184811.tif 000029